(57)【特許請求の範囲】
【請求項１】
可撓性を有する温水パイプが収容されたパイプ収容部を下面側または厚さ中間に備えた基材と、基材の上面に接合された折り曲げ可能な上部シートと、基材の下面に接合された伸長可能な下部シートとを備えた床暖房用パネルであって、
パネルをその前後方向に所定間隔をおいた複数箇所で順次上面側に折り曲げて巻回し得るように、基材における前記複数箇所それぞれに対応する箇所に、基材の左右幅全長にわたって伸びかつ基材の下面から上面または上面近傍まで達する切れ目が設けられており、
温水パイプは、基材の全ての切れ目またはそのうちの任意の複数の切れ目それぞれに沿うように左右方向に伸びている第１ストレート部と、切れ目を避けて左右方向に伸びている第２ストレート部と、温水パイプ全体の配管パターンが蛇行状または多重蛇行状となるように２つのストレート部の左端どうしまたは右端どうしを繋いでいる複数のターン部とを有しているとともに、切れ目を横切って伸びるターン部が、切れ目と斜めに交差している、床暖房用パネル。
【請求項２】
請求項１記載の床暖房用パネルにおいて、切れ目を横切って伸びるターン部が、切れ目と斜めに交差しているのに代えて、該ターン部が、切れ目に近づくにつれて切れ目との角度が次第に小さくなるようにカーブし、切れ目においてこれにほぼ沿うように伸び、切れ目から離れるにつれて切れ目との角度が次第に大きくなるようにカーブしている、床暖房用パネル。
【請求項３】
可撓性を有する温水パイプが収容されたパイプ収容部を下面側または厚さ中間に備えた基材と、基材の上面に接合された折り曲げ可能な上部シートと、基材の下面に接合された伸長可能な下部シートとを備えた床暖房用パネルであって、
パネルをその前後方向に所定間隔をおいた複数箇所で順次上面側に折り曲げて巻回し得るように、基材における前記複数箇所それぞれに対応する箇所に、基材の左右幅全長にわたって伸びかつ基材の下面から上面または上面近傍まで達する切れ目が設けられており、
温水パイプは、基材の全ての切れ目それぞれに沿うように左右方向に伸びている第１ストレート部と、切れ目を避けて左右方向に伸びている第２ストレート部と、温水パイプ全体の配管パターンが蛇行状となるようにかつ切れ目を横切る部分が生じないように隣り合う２つのストレート部の左端どうしまたは右端どうしを繋いでいる複数のターン部とを有している、床暖房用パネル。
【請求項４】
可撓性を有する温水パイプが収容されたパイプ収容部を下面側または厚さ中間に備えた基材と、基材の下面に接合された伸長可能な下部シートとを備えた床暖房用パネルであって、
パネルをその前後方向に所定間隔をおいた複数箇所で順次上面側に折り曲げて巻回し得るように、基材が、互いに接合された、折り曲げ可能な上部材と、前記パイプ収容部が設けられた下部材とで構成されているとともに、基材における前記複数箇所それぞれに対応する箇所に、基材の左右幅全長にわたって伸びかつ下部材の下面から下部材の上面若しくは上面近傍または上部材の厚さ中間まで達する切れ目が設けられており、
温水パイプは、基材の全ての切れ目またはそのうちの任意の複数の切れ目それぞれに沿うように左右方向に伸びている第１ストレート部と、切れ目を避けて左右方向に伸びている第２ストレート部と、温水パイプ全体の配管パターンが蛇行状または多重蛇行状となるように２つのストレート部の左端どうしまたは右端どうしを繋いでいる複数のターン部とを有しているとともに、切れ目を横切って伸びるターン部が、切れ目と斜めに交差している、床暖房用パネル。
【請求項５】
請求項４記載の床暖房用パネルにおいて、切れ目を横切って伸びるターン部が、切れ目と斜めに交差しているのに代えて、該ターン部が、切れ目に近づくにつれて切れ目との角度が次第に小さくなるようにカーブし、切れ目においてこれにほぼ沿うように伸び、切れ目から離れるにつれて切れ目との角度が次第に大きくなるようにカーブしている、床暖房用パネル。
【請求項６】
可撓性を有する温水パイプが収容されたパイプ収容部を下面側または厚さ中間に備えた基材と、基材の下面に接合された伸長可能な下部シートとを備えた床暖房用パネルであって、
パネルをその前後方向に所定間隔をおいた複数箇所で順次上面側に折り曲げて巻回し得るように、基材が、互いに接合された、折り曲げ可能な上部材と、前記パイプ収容部が設けられた下部材とで構成されているとともに、基材における前記複数箇所のそれぞれに対応する箇所に、その左右幅全長にわたって伸びかつ下部材の下面から下部材の上面若しくは上面近傍または上部材の厚さ中間まで達する切れ目が設けられており、
温水パイプは、基材の全ての切れ目それぞれに沿うように左右方向に伸びている第１ストレート部と、切れ目を避けて左右方向に伸びている第２ストレート部と、温水パイプ全体の配管パターンが蛇行状となるようにかつ切れ目を横切る部分が生じないように隣り合う２つのストレート部の左端どうしまたは右端どうしを繋いでいる複数のターン部とを有している、床暖房用パネル。
【請求項７】
基材の上部材が、合成樹脂非発泡体または合成樹脂低発泡体よりなり、同下部材が、硬質合成樹脂発泡体、木質板またはこれらの複合体よりなる、請求項４〜６のいずれか１つに記載の床暖房用パネル。
【発明の詳細な説明】
【０００１】
【発明の属する技術分野】
本発明は、床暖房用パネルに関し、より詳細には、巻回可能な床暖房用パネルに関する。
【０００２】
この明細書において、図１、７、８、９および１１の各右を「前」、同各左を「後」といい、「左右」は前から見た場合をいうものとする。
【０００３】
【従来の技術】
床暖房用パネルは、通常、床下地と床仕上げ材との間に配されて、同パネルに埋設された温水パイプや電熱線等から発せられる輻射熱により床面の暖房を行うものである。
【０００４】
床暖房用パネルの中には、巻回可能に構成されたものがある。このようなパネルは、巻回して嵩張らない状態にすることができるため、施工現場への搬入等の際の持ち運びが容易である上、広い面積を有するパネルでも少人数で施工できるという利点がある。
【０００５】
この種の床暖房用パネルとしては、図１１に示すように、可撓性を有する温水パイプ(73)が収容されたパイプ収容溝を下面に有する硬質樹脂発泡体製ハードマット(72)と、ハードマット(72)下面に接合された折り曲げ可能な裏打ち材（図示略）とを備え、ハードマット(72)には、これが前後方向に所定間隔をおいた複数箇所で分断されるように切れ目(721)が設けられているものが知られている（特開平１１−２３７０６０号公報参照）。上記パネル(71)は、これをハードマット(72)の複数の切れ目(721)に対応する箇所で順次下面側に折り曲げていくことによって、下面を内側にして巻回できるようになっている。温水パイプ(73)は、通常、図１１に示すような配管パターンを有しており、具体的には、切れ目(721)を避けて左右方向に伸びている複数のストレート部(73a)と、２つのストレート部(73a)の左端どうしまたは右端どうしを繋ぐように前後方向に伸びているターン部(73b)とを有し、各ターン部(73b)は、少なくとも１つの切れ目(721)をこれと直交するように前後方向に横切って伸びている。
【０００６】
また、上記以外の巻回可能な床暖房用パネルとして、温水パイプが収容されたパイプ収容溝を上面に有する硬質樹脂発泡体製ハードマットと、ハードマット上面に接合された折り曲げ可能な金属シートとを備え、ハードマットには、その左右幅全長にわたって伸びかつ下面から上面近傍まで達する切れ目が、前後方向に所定間隔おきに形成されているものも知られている。上記パネルにあっては、これを上面を内側にして巻き込んでいくと、ハードマットにおける各切れ目の上方部分に割れが生じることにより、同箇所でハードマットが上面側に折れ曲がり、それによって上面を内側にして巻回できるようになっている。温水パイプの配管パターンは、図１１に示した床暖房用パネルのそれと同様であって、各ターン部は切れ目と直交している。
【０００７】
【発明が解決しようとする課題】
しかしながら、上記いずれの床暖房用パネル(71)にあっても、温水パイプ(73)の各ターン部(73b)にハードマット(72)の切れ目(721)と直交する部分が生じるため、これらのパネル(71)を巻回した際には、温水パイプ(73)のターン部(73b)の前記直交部分が折れ曲がるかまたは湾曲し、折れ曲がった場合には、該部分が挫屈したり、破損したりするおそれがあった。
【０００８】
また、前者の床暖房用パネル(71)の場合、下面を内側にして巻回できるように構成されているため、巻回された同パネル(71)を巻き戻して敷設する作業がやり難かった。
【０００９】
一方、後者の床暖房用パネルの場合、上面を内側にして巻回できるように構成されているため、前者の床暖房用パネル(71)と比べると敷設作業はやり易いが、パネルを巻回した際に、温水パイプのターン部におけるハードマットの切れ目との直交部分が湾曲すると、同部分がハードマットの上面側に浮き上がって、その上方の金属シートを部分的に伸ばしてしまう。この状態からパネルを巻き戻すと、湾曲したパイプに押されて伸びた金属シート部分が完全に元に戻らず、そこにシワができてしまい、それによってパネル上面の平滑性や平面性が損なわれるおそれがあった。そして、このような状態の床暖房用パネルの上面に、クッションシート等の柔らかい床仕上げ材を直接敷設すると、パネル上面を構成する金属シートに生じたシワが、床仕上げ材の表面に現れてしまう。したがって、同パネルの上に捨て張り材を敷設しておいてから、その上に床仕上げ材を敷設する必要があった。また、薄い木質板よりなる床仕上げ材を上記床暖房用パネルの上に接着施工する場合にも、金属シートに生じたシワが床仕上げ材の接着性及び床面の平滑性を損なうので、やはり捨て張り材が必要であった。
【００１０】
本発明の目的は、敷設作業が容易であって、パネル巻回の際に温水パイプに挫屈や損傷が生じ難く、しかも、パネルの平滑性や平面性の阻害の問題が生じ難い、巻回可能な床暖房用パネルを提供することにある。
【００１１】
【課題を解決するための手段】
本発明による床暖房用パネルは、請求項１に記載のように、可撓性を有する温水パイプが収容されたパイプ収容部を下面側または厚さ中間に備えた基材と、基材の上面に接合された折り曲げ可能な上部シートと、基材の下面に接合された伸長可能な下部シートとを備えたものであって、パネルをその前後方向に所定間隔をおいた複数箇所で順次上面側に折り曲げて巻回し得るように、基材における前記複数箇所それぞれに対応する箇所に、基材の左右幅全長にわたって伸びかつ基材の下面から上面または上面近傍まで達する切れ目が設けられており、温水パイプは、基材の全ての切れ目またはそのうちの任意の複数の切れ目それぞれに沿うように左右方向に伸びている第１ストレート部と、切れ目を避けて左右方向に伸びている第２ストレート部と、温水パイプ全体の配管パターンが蛇行状または多重蛇行状となるように２つのストレート部の左端どうしまたは右端どうしを繋いでいる複数のターン部とを有するものであって、切れ目を横切って伸びるターン部が、切れ目と斜めに交差している。
【００１２】
上記床暖房用パネルを、平坦な状態から、上面が内側になるように前後いずれかの側から巻き込んでいくと、パネルが基材の複数の切れ目に対応する箇所で順次上面側に折れ曲がり、上面を内側にして巻回される。なお、切れ目が基材の上面近傍までしか達していない場合であっても、巻回時にパネルに加えられる外力によって基材における該切れ目の上方部分が割れることにより、同箇所でもパネルは容易に折れ曲がる。また、基材の下面に接合されている下部シートは伸長可能なものであるので、基材の折り曲げに応じて伸び得る。温水パイプは、上記のような第１ストレート部、第２ストレート部およびターン部を有するものであって、パネル巻回時には、切れ目を横切って伸びるターン部が、該切れ目との交差部分で折れ曲がるかまたは湾曲することになる。しかし、前記ターン部は切れ目と斜めに交差しているので（図１および２参照）、パネル巻回時に折れ曲がったとしても、従来技術のようにターン部が切れ目と直交している場合と比べると、折れ曲がりの角度が小さい上に折れ曲がり断面積が大きく（図６参照）、それだけ温水パイプの折れ曲がりによる座屈や損傷の発生の度合いが少ない。また、前記ターン部における切れ目との交差部分が、パネル巻回時に湾曲した場合でも、パネル収容部が基材の下面側または厚さ中間に設けられているため、パネル上面を構成する上部シートが温水パイプの上記湾曲部分によって部分的に伸ばされるおそれがなく、パネル上面の平滑性および平面性は損なわれない。
【００１３】
また、本発明による床暖房用パネルは、請求項２に記載のように、切れ目を横切って伸びるターン部が、切れ目に近づくにつれて切れ目との角度が次第に小さくなるようにカーブし、切れ目においてこれにほぼ沿うように伸び、切れ目から離れるにつれて切れ目との角度が次第に大きくなるようにカーブしているものであってもよい。
【００１４】
切れ目を横切って伸びるターン部が上記のようなものとなされていれば（図３参照）、パネル巻回時には、前記ターン部のうち切れ目にほぼ沿う部分が捻れるのみであって、温水パイプの折れ曲がりによる挫屈や損傷を招くおそれがない。
【００１５】
また、本発明による床暖房用パネルは、請求項３に記載のように、温水パイプを、基材の全ての切れ目それぞれに沿うように左右方向に伸びている第１ストレート部と、切れ目を避けて左右方向に伸びている第２ストレート部と、温水パイプ全体の配管パターンが蛇行状となるようにかつ切れ目を横切る部分が生じないように隣り合う２つのストレート部の左端どうしまたは右端どうしを繋いでいる複数のターン部とを有するものとしてもよい。
【００１６】
温水パイプが、上記のような構成を有するものであれば、切れ目を横切る部分が実質的に生じないので（図８参照）、パネル巻回時に温水パイプの折れ曲がりによる挫屈や損傷を招くおそれがない。
【００１７】
基材は、好ましくは、互いに接合された上部材および下部材よりなり、パイプ収容部は下部材に設けられる。基材を上記のように構成すれば、単一の部材で構成したものと比べて、パイプ収容部の形成加工等が容易となって、製造が容易になる。しかも、上部材を下部材よりも剛性の高い材料で形成することができ、そうすることで歩行時の浮沈感を招くおそれがより少なくなる。
【００１８】
上部材は、パネル上面の平滑性を保持し、歩行時の浮沈感を低減できるだけの剛性を有する材料、例えば、木質板、無機質板、合成樹脂板またはこれらの複合体で形成されるのが好ましい。木質板としては、合板、２プライ合板、単板、中比重繊維板、ハードボード、高比重繊維板、パーティクルボード、オリエンテッドストランドボード、ウエハーボード等が挙げられ、これらを複数組み合わせて使用してもよい。無機質板としては、石綿スレート板、パルプセメント板、ケイ酸カルシウム板、繊維混入ケイ酸カルシウム板、繊維混入スラグ石こう板、繊維混入スラグセメント板等が挙げられる。合成樹脂板としては、ポリエチレン、ポリプロピレン、ポリスチレン、硬質ポリウレタン、熱硬化性樹脂等からなる板が挙げられる。また、前記樹脂材料に、木材、もみ殻等の有機物の粉体、鉄、アルミニウム等の金属の粉体、または炭酸カルシウム等の無機物の粉体が混入されていてもよい。上部材の厚みは、温水パイプ内を流れる温水から床面への熱伝導を考慮すると薄い方が好ましいが、パネル上面の平面性を確保するためにはある程度の厚みが必要であり、通常は６ｍｍ程度以下となされる。もっとも、上部材の厚みは、上記に限らず、任意に設定することができる。
【００１９】
下部材は、上部材と相俟って歩行時の浮沈感を低減できるように、少なくとも従来のソフトマットの材料（軟質発泡体）よりも硬質の材料、例えば、硬質合成樹脂発泡体、木質板、合成樹脂板またはこれらの複合体で形成されるのが好ましい。硬質合成樹脂発泡体としては、ポリスチレン、ポリエチレン、ポリプロピレン、ＡＢＳ樹脂、硬質ポリウレタン、架橋ゴム、熱硬化性樹脂等からなる発泡体を挙げることができ、これらを複数組み合わせて使用してもよい。木質板としては、合板、パーティクルボード、オリエンテッドストランドボード、ウエハーボード、インシュレーションボード、中比重繊維板、ハードボード、高比重繊維板等が挙げられ、これらを複数組み合わせて使用してもよい。合成樹脂板としては、前記硬質合成樹脂発泡体と同様の合成樹脂からなるもの等が挙げられる。下部材の厚みは、温水パイプの外径とほぼ同じかそれよりも大きくする必要があり、通常は６．０ｍｍ程度以上となされる。
【００２０】
パイプ収容部を基材の下面側に設ける場合には、基材にこれの下面に開口した溝を形成し、この溝をパイプ収容部とすればよい。この場合には、基材が一体のものであっても、上部材と下部材とを接合したものであってもよいが、後者の場合には、溝の深さを下部材と同じ厚みにするかそれよりもやや浅くする。また、パイプ収容部を基材の厚さ中間に設ける場合には、基材を上部材と下部材とで構成し、例えば、下部材にこれの上面に開口した溝を形成して、この溝をパイプ収容部となし、これに温水パイプを収容しておいてから上部材と下部材とを接合するようにすればよい。パイプ収容部のパターンは、これに収容される温水パイプの配管パターンに応じたものとなされる。パイプ収容部の幅は、パネルの巻回に伴って温水パイプが引っ張られた際にパイプ収容部内で移動できるように、温水パイプの外径よりも大きいものとなされるのが好ましい。また、パネル巻回の際の温水パイプの移動量は、第１および第２ストレート部よりもターン部の方が多いため、パイプ収容部のうちターン部が収容される部分の幅をストレート部が収容される部分の幅よりも大きくしておくのが好ましい。
【００２１】
切れ目は、基材の所要箇所に下面側から溝付け加工を施すか、若しくは、下面側からスリット状の切込みを入れることによって形成することができる。この場合、溝または切込みの深さは基材の上面部に僅かに残り代ができるように設定されるが、加工精度のバラツキにより、実際に形成された溝または切込みには、基材の上面まで達するものと上面近傍までのものとが混在するのが通常であり、１つの溝または切込みにおいてもその長さ方向において深さにバラツキが生じる場合がある。但し、このようなバラツキがあっても、前述のように、巻回時にパネルに加えられる外力によって、切れ目の上方の残り代が割れるので、パネルの巻回に支障を来すおそれはない。
【００２２】
また、基材を前後並列状に配された複数の小幅の基材単位体で構成し、基材単位体どうしの突き合わせ部分を切れ目としてもよい。基材単位体の前後幅は、基材に形成すべき切れ目のピッチと同じでもよいし、数ピッチ分に相当するものであってもよいが、後者の場合には、基材単位体の所要箇所に溝若しくは切込みよりなる切れ目を形成する。
【００２３】
基材には、パネルの軽量化および防音対策の目的で、溝付加工（図２および３参照）、有孔加工、あるいは溝による分割加工を施すようにしてもよい。
【００２４】
折り曲げ可能な上部シートは、基材の上面に接合されて、パネルとしての一体性を保持する役割を果たすものである。
【００２５】
この上部シートは、好ましくは、均熱層としての役割も果たし得る金属シートによって構成される。なお、ここにいう「金属シート」は、その厚みにかかわらず、金属または金属を主体とするシート状のものを意味することとする。金属シートの材料としては、アルミニウム、鉄、ステンレスなどが挙げられる。また、上記金属材料で形成されたシートの片面に、ポリエチレン、ポリプロピレン等の熱可塑性樹脂フィルムを接合したものや、同面にポリエチレン、ポリプロピレン等の熱可塑性樹脂液を塗布後硬化させて樹脂層を形成したものでもよい。
【００２６】
上部シートは、金属シート以外に、ポリエチレン、ポリプロピレン、ポリ塩化ビニル等の熱可塑性樹脂や軟質樹脂等の任意の合成樹脂よりなるシート（またはフィルム）、またはこれらを複数積層したものであっても良い。なお、この場合には、例えば、床暖房用パネルの上に敷設される床仕上げ材の下面に金属シートを接合しておけば、暖房床構造としての均熱性を維持することができる。
【００２７】
伸長可能な下部シートは、基材の下面に接合されて、パネル巻回時には基材の折れ曲がりに応じて伸びるようになっており、上部シートと相俟って、パネルとしての一体性を保持する役割を果たしている。
【００２８】
下部シートの材料としては、例えば不織布を挙げることができる。不織布よりなる下部シートは、通常６０％以上の伸び率を有し、パネル巻回時には基材の折れ曲がりに応じて千切れることなく伸び得る。なお、パネルを巻き戻した際には、下部シートの伸びていた部分が完全に復元せず同部分に若干シワが生じる場合もあり得るが、同シワによってパネル上面の平滑性および平面性が損なわれるおそれはなく、使用上問題はない。
【００２９】
また、下部シートは、伸縮性を有する材料、具体的には、例えば、軟質樹脂発泡体、伸縮性不織布、伸縮性織物、多孔質ゴムシートまたはこれらの複合体によって形成されていてもよい。伸縮性を有する材料よりなる下部シートは、パネル巻回時には基材の折れ曲がりに応じて伸び、パネル巻き戻し時には伸びていた部分が復元するという弾性的挙動を示し、それによってパネル下面の平滑性および平面性を保持し、ひいてはパネル上面の平滑性および平面性を保持するものである。軟質樹脂発泡体としては、連続気泡型の軟質ウレタン樹脂発泡体を挙げることができ、この場合、発泡倍率を２５〜６３倍程度、密度を１６〜４０ｋｇ／ｍ３程度、伸び率を１００％程度以上とするのが好ましい。伸縮性不織布としては、ポリスチレン系、ポリオレフィン系、ポリウレタン系、ポリエステル系、ポリアミド系、ポリフロロカーボン系等の熱可塑性エラストマー（プラスチック系ゴム）からなるスパンボンド不織布を挙げることができ、その中でも、弾性に優れているポリウレタン弾性繊維からなるものが好ましい。伸縮性織物としては、縦メリヤス編みの生地からなり肌着やセーターなどに用いられるトリコットや、伸縮包帯やパンティーストッキングの材料と同じものを使用することができる。
【００３０】
本発明による床暖房用パネルにおいて、基材下面における切れ目の前後両縁部に、下部シートと接合されていない非接合部が設けられている場合がある。
【００３１】
基材下面の上記部分に非接合部を設けるようにすれば、それだけ下部シートの伸び代が大きくなるので、パネルの巻回作業をよりスムーズに行うことができ、巻回されたパネルの外径も大きくならない。なお、基材下面の非接合部は、下部シートが不織布よりなる場合には、それがなくてもパネル巻回時に下部シートが千切れるおそれがないため、あえて設けなくてもよいが、下部シートが軟質樹脂発泡体等の伸縮性材料よりなる場合には、パネル巻回時に下部シートが千切れるのを回避する手段として有効である。
【００３２】
また、本発明の床暖房用パネルにおいて、さらに、下部シート下面のうち少なくとも基材の切れ目およびその前後両縁部に対応する部分に接合された裏打ち材が備えられ、裏打ち材における基材の切れ目に対応する部分に、裏打ち材の下面から上面または上面近傍まで達する断裂部が設けられている場合がある。
この場合において、裏打ち材における断裂部の前後両縁部の上面に、下部シートと接合されていない非接合部が設けられているのが好ましい。
なお、裏打ち材における断裂部の前後両縁部の上面が当初は下部シートと接合されていても、パネルの巻回によりその接合が外れ、その結果、裏打ち材の前記部分に非接合部が形成されるようになっていてもよい。このような非接合部は、裏打ち材として、例えば後述する高比重シートのように、パネルの折り曲げに追従し得る程度の柔軟性を有していない材料を用いることにより、生じさせることができる。
【００３３】
床暖房用パネルが上記のような裏打ち材をさらに備えていれば、パネル上下面の平滑性および平面性がより一層向上し、フラットな床下地に置き敷き施工することも可能になる。また、裏打ち材における基材の切れ目に対応する部分には、上記のような断裂部が設けられているので、パネル巻回時に下部シートが支障無く伸びる得る。なお、断裂部が裏打ち材の上面近傍までしか達していない場合であっても、パネル巻回時に加えられる外力によって断裂部上方の残り代が割れるので、パネルの巻回を支障なく行うことができる。また、裏打ち材の上面に上記のような非接合部が設けられていれば、下部シートの伸び代がさらに大きくなるので、パネルの巻回作業がより一層スムーズとなり、巻回されたパネルの外径を小さくすることができる。この裏打ち材は、特に、基材または基材の下部材がインシュレーションボードや硬質樹脂発泡体等の軽量の材料で形成されている場合に有効である。
【００３４】
裏打ち材の材料としては、木質材よりも比重の高いものが好ましく、通常、比重０．８以上、好ましくは１．０以上のものが用いられる。また、裏打ち材の面密度が、好ましくは１．０ｋｇ／ｍ２程度以上、より好ましくは１．４ｋｇ／ｍ２以上となされていてもよい。また、裏打ち材の重さは、これより上方に配置されているパネル構成材料の重さの合計とほぼ同じか、それより大きくてもよい。もっとも、裏打ち材は、上記の例に限らず、パネルの平滑性および平面性を一層向上させるものであればよい。裏打ち材は、例えば高比重シートで形成される。この高比重シートは、合成樹脂（塩化ビニル系、ウレタン系、ポリオレフィン系）、ゴム系樹脂、アスファルト、またはこれらの複数の混合物に、金属粉（鉄、鉛など）、硫酸バリウム等を混入分散してなるものである。
【００３５】
可撓性を有する温水パイプは、例えば、架橋ポリエチレン等の合成樹脂製パイプにより構成される。この温水パイプは、床暖房用パネルの大きさや配管パターン等に応じて、１本のパイプよりなる場合（図７〜９参照）と、２本またはそれ以上のパイプよりなる場合（図１参照）とがある。
【００３６】
請求項１または２による床暖房用パネルにおいて、温水パイプの第１ストレート部は、基材の全ての切れ目それぞれに沿うように切れ目と同数だけ設けられる場合もあるし、基材の全ての切れ目のうち任意の複数の切れ目それぞれに沿うように設けられる場合もある。後者の例としては、中間に位置する１または複数の切れ目を飛ばしたり、前後両端のうち少なくとも一方に位置する切れ目を除いて、残りの切れ目それぞれに沿うように第１ストレート部を設ける場合が挙げられる。
【００３７】
温水パイプの第２ストレート部は、切れ目を避けて左右方向に伸びるように設けられていればよいが、具体的には、基材における隣り合う切れ目どうしの間の部分や、基材の前後縁とこれらに最も近い切れ目との間の部分に設けられる。第２ストレート部は、通常、前記各部分に、１つずつ設けられるが（図１参照）、前後並列状に複数ずつ設けられていても勿論よい（図７参照）。第２ストレート部についても、常に基材の前記部分の全てに設けられる必要はなく、途中で飛ばして不等間隔に設けたり、端の部分を除いて設けたりしてもよい。
【００３８】
ターン部は、温水パイプの配管パターンに応じて、所要の２つのストレート部の左端どうしまたは右端どうしを繋ぐように設けられる。具体的に言えば、温水パイプの配管パターンが蛇行状の場合には、各ターン部は、隣り合う２つのストレート部の左端どうしまたは右端どうしを繋ぐものとなされる。また、温水パイプの配管パターンが多重蛇行状の場合には、隣り合う２つのストレート部の左端どうしまたは右端どうしを繋ぐターン部と、１以上のストレート部を挟んで離れて位置する２つのストレート部の左端どうしまたは右端どうしを繋ぐターン部とが混在する。ターン部は、これらを大きく捉えると、通常、左方凸状または右方凸状のものとなされるが、２以上の切れ目を横断するものについては、各切れ目毎に左右に交互にうねる波線形を呈する場合もあり得る。なお、ターン部は、その全てが曲線で構成されている必要はなく、２つのストレート部の左端どうしまたは右端どうしをなだらかに繋ぐようなものであれば、一部に直線部分が含まれていても勿論構わない。
【００３９】
請求項１または２による床暖房用パネルでは、少なくとも１つのターン部に、基材の１以上の切れ目を横切る部分が生じることを前提としている。このような切れ目を横切る部分は、温水パイプの配管パターンが蛇行状であって、全ての切れ目または（途中で１以上の切れ目を飛ばすことなく）隣り合う複数の切れ目それぞれに沿うように第１ストレート部が設けられている場合には、通常は生じないが、その場合であっても、例えば、ターン部の曲率半径を大きくしてパイプ収容部への収容作業を容易にするために、少なくとも１つのターン部を少なくとも前後いずれかに膨らむような形状としたときには、同ターン部に切れ目を横切る部分が生じ得る（図８破線表示参照）。また、温水パイプの配管パターンが蛇行状であっても、第１ストレート部が設けられていない切れ目があり、その切れ目を挟んで隣り合う２つのストレート部（第１ストレート部と第２ストレート部、２つの第１ストレート部、２つの第２ストレート部）の端どうしを繋ぐターン部がある場合には、切れ目を横切る部分が生じることになる。温水パイプの配管パターンが多重蛇行状である場合、通常、切れ目を挟んで位置する２つのストレート部（第１ストレート部と第２ストレート部、２つの第１ストレート部、２つの第２ストレート部）の端どうしを繋ぐターン部があるので、同ターン部には切れ目を横切る部分が生じる。
【００４０】
請求項１による床暖房用パネルにおいて、切れ目を横切って伸びるターン部は、切れ目と斜めに交差していればよく、切れ目との交差角度は特に限定されないが、パネルの巻回のし易さを考慮すると、４５°以下とするのが好ましく、３０°以下とするのがより好ましい。
【００４１】
請求項２による床暖房用パネルにおいて、切れ目を横切って伸びるターン部のうち、切れ目においてこれにほぼ沿うように伸びる部分は、ごく短いものであってもよいし、ある程度の長さを有するものであってもよい。言い換えると、前記ターン部における切れ目横断部分は、切れ目を変曲点として凹凸の向きが前後逆になる曲線状のものであってもよいし（図３参照）、切れ目に沿う直線部の左右端に凹凸の向きが互いに前後逆である曲線部がそれぞれ連なるようなものであってもよい。なお、上記の切れ目横断部分は、全体として左方凸状または右方凸状のターン部の一部である場合（図３参照）もあるし、全体として波線状のターン部の一部である場合もある。
【００４２】
請求項３による床暖房用パネルの場合、温水パイプの第１ストレート部は、基材の全ての切れ目に沿うように設けられる。第２ストレート部は、基材における隣り合う切れ目どうしの間の部分、および基材の前後縁とこれらに最も近い切れ目との間の部分の全てまたはそのうちの一部に１つまたは複数ずつ設けられる。なお、第２ストレート部の場合、前記複数の部分のうち中間に位置する部分を飛ばして不等間隔に設けても構わない。ターン部は、温水パイプの配管パターンを蛇行状としているため、そのいずれもが隣り合う２つのストレート部（第１ストレート部と第２ストレート部、２つの第１ストレート部、２つの第２ストレート部）の左端どうしまたは右端どうしを繋ぐものとなされている。そして、各ターン部は、請求項１または２による床暖房用パネルの温水パイプのターン部について上述したような切れ目を横切る部分が生じるものであってはならない（図８参照）。つまり、請求項３による床暖房用パネルでは、温水パイプを、第１ストレート部、第２ストレート部およびターン部で構成するとともに、これらの部分をそのいずれにも基材の切れ目を横切る部分が生じないように配置した点に特徴がある。
【００４３】
なお、請求項３による床暖房用パネルにおいて、例えば、温水パイプの両端が接続されるヘッダが、パネルの前後いずれかの縁部ではなく、前後長さの中間部に配置される場合、温水パイプには、前後両端に位置するストレート部の一端とヘッダとを繋ぐ連結部が必要となり、これらの連結部が基材の切れ目を横切って伸びることがあり得る。また、配管パターンによっては、温水パイプに、前後両端に位置するストレート部の一端どうしを繋ぐ連結部が設けられることもある。これらの場合には、請求項１と同様に、連結部を、切れ目と斜めに交差するものとするか、あるいは、請求項２と同様に、連結部を、切れ目に近づくにつれて切れ目との角度が次第に小さくなるようにカーブし、切れ目においてこれにほぼ沿うように伸び、切れ目から離れるにつれて切れ目との角度が次第に大きくなるようにカーブするものとすれば（図９参照）、パネル巻回時に温水パイプが折れ曲がって挫屈したり損傷したりする度合いを極力少なくすることができる。
【００４４】
また、本発明による床暖房用パネルは、請求項４〜６に記載のように、可撓性を有する温水パイプが収容されたパイプ収容部を下面側または厚さ中間に備えた基材と、基材の下面に接合された伸長可能な下部シートとを備えたものであって、パネルをその前後方向に所定間隔をおいた複数箇所で順次上面側に折り曲げて巻回し得るように、基材を、互いに接合された、折り曲げ可能な上部材と、前記パイプ収容部が設けられた下部材とで構成するとともに、基材における前記複数箇所それぞれに対応する箇所に、基材の左右幅全長にわたって伸びかつ下部材の下面から下部材の上面若しくは上面近傍または上部材の厚さ中間まで達する切れ目を設けたものとしてもよい（図１０参照）。
【００４５】
請求項４に記載のように、上記床暖房用パネルにおける温水パイプの構成は、請求項１と同様の構成、即ち、基材の全ての切れ目またはそのうちの任意の複数の切れ目それぞれに沿うように左右方向に伸びている第１ストレート部と、切れ目を避けて左右方向に伸びている第２ストレート部と、温水パイプ全体の配管パターンが蛇行状または多重蛇行状となるように２つのストレート部の左端どうしまたは右端どうしを繋いでいる複数のターン部とを有しているとともに、切れ目を横切って伸びるターン部が、切れ目と斜めに交差しているものとすることができる。
【００４６】
上記パネルを上面を内側にして巻き込んでいくと、パネルが基材の複数の切れ目に対応する箇所で順次折れ曲がっていく。基材における切れ目の上方部分は、折り曲げ可能な上部材で構成されているため、同箇所において基材の折れ曲がりがスムーズに行われる。なお、切れ目が下部材の上面近傍までしか達していない場合であっても、巻回時にパネルに加えられる外力によって下部材における該切れ目の上方部分が割れることにより、同箇所でもパネルは容易に折れ曲がる。
【００４７】
請求項５に記載のように、切れ目を横切って伸びるターン部については、請求項２と同様のもの、即ち、切れ目に近づくにつれて切れ目との角度が次第に小さくなるようにカーブし、切れ目においてこれにほぼ沿うように伸び、切れ目から離れるにつれて切れ目との角度が次第に大きくなるようにカーブしているものとしてもよい。
【００４８】
また、請求項６に記載のように、温水パイプは、請求項３と同様のもの、即ち、基材の全ての切れ目またはそのうちの任意の隣り合う複数の切れ目それぞれに沿うように左右方向に伸びている第１ストレート部と、切れ目を避けて左右方向に伸びている第２ストレート部と、温水パイプ全体の配管パターンが蛇行状となるようにかつ切れ目を横切る部分が生じないように隣り合う２つのストレート部の左端どうしまたは右端どうしを繋いでいる複数のターン部とを有しているものであってもよい。
【００４９】
請求項７に記載のように、上記床暖房用パネルにあっては、基材の上部材が、合成樹脂非発泡体または合成樹脂低発泡体よりなり、同下部材が、硬質合成樹脂発泡体、木質板またはこれらの複合体よりなる場合がある。
【００５０】
合成樹脂非発泡体としては、例えば、ポリエチレン、ポリプロピレン、ポリスチレン、ポリウレタン、ポリ塩化ビニル等の合成樹脂からなる非発泡体を挙げることができる。合成樹脂低発泡体は、発泡倍率が２〜４倍程度のものをいい、具体的には、ポリエチレン、ポリプロピレン、ポリスチレン、ポリウレタン、ポリ塩化ビニル等の合成樹脂からなる低発泡体を例示することができる。下部材を構成する硬質合成樹脂発泡体や木質板等については、前述したものと同じ材料を使用することができる。
【００５１】
基材の上部材が合成樹脂の非発泡体あるいは低発泡体よりなり、下部材が硬質合成樹脂発泡体よりなる場合には、これらを一体成形することができる。この場合、パイプ収容部および切れ目を上下両部材の成形と同時に成形してもよいし、また、パイプ収容部のみを上下両部材の成形と同時に成形し、切れ目を後から切削加工により形成してもよい。
【００５２】
【発明の実施の形態】
図１〜６は、本発明による床暖房用パネルの第１の実施形態（請求項１、２に対応）を示すものである。床暖房用パネル(11)は、図１に示すように、平面より見て前後に長い方形をしており、図２〜図４に詳しく示すように、可撓性を有する温水パイプ(3)が収容されたパイプ収容部(20)を下面側に有する基材(2)と、基材(2)上面に接合された折り曲げ可能な金属シート（上部シート）(4)と、基材(2)下面に接合された伸長可能な下部シート(5)とを備えている。
【００５３】
そして、パネルを前後方向に所定間隔をおいた複数箇所で順次上面側に折り曲げて巻回し得るように、基材(2)に、その左右幅全長にわたって伸びかつ下面から上面または上面近傍まで達する複数の切れ目(21)が設けられている。
【００５４】
下部シート(5)下面には、裏打ち材(6)が接合されている。裏打ち材(6)における切れ目(21)に対応する箇所には、その下面から上面まで達する分断部(61)が設けられている。
【００５５】
基材(2)は、互いに接合された上部材(2A)および下部材(2B)よりなり、パイプ収容部(20)が下部材(2B)に設けられている。上部材(2A)は中質繊維板からなり、下部材(2B)は独立気泡型の硬質スチレン樹脂発泡体からなる。温水パイプ(3)は、架橋ポリエチレン製である。金属シート(4)は、アルミニウム箔からなる。下部シート(5)は、不織布からなる。裏打ち材(6)は、高比重シートからなる。
【００５６】
温水パイプ(3)は、２本のパイプよりなり、１本はパネル(11)の前半部に配され、もう１本はパネル(11)の後半部に配されている。温水パイプ(3)は、図１に示すような２重蛇行状の配管パターンを呈するものであって、全ての切れ目(21)それぞれに通じるように左右方向に伸びる第１ストレート部(31)と、基材(2)における隣り合う切れ目(21)どうしの間の部分および基材(2)の前後両縁とこれらに最も近い切れ目(21)との間の部分に配された左右方向に伸びる第２ストレート部(32)と、所要の２つのストレート部(31)(32)の左端どうしまたは右端どうしをそれぞれ繋いでいるターン部(33a)(33b)とを有している。ターン部には、隣り合う第１ストレート部(31)および第２ストレート部(32)の端どうしおよびパネル(11)の後端部に位置する隣り合う２つの第２ストレート部(32)の端どうしをそれぞれ繋いでいる比較的小さいもの(33a)（以下、「小ターン部」という）と、各１つの第１および第２ストレート部(31)(32)を間において前後方向に離れて位置する第１ストレート部(31)および第２ストレート部(32)の端どうしを繋いでいる比較的大きいもの(33b)（以下、「大ターン部」という）とがあり、小ターン部(33a)は、パネル(11)の前後両端に位置するものを除いて、それぞれ大ターン部(33b)の内側に配されている。大ターン部(33b)は、それぞれ１つの切れ目(21)を横切るように伸びており、図２に詳しく示すように、切れ目(21)と斜めに交差している。図２に示す大ターン部(33b)は、切れ目(21)との交差角度(A)が約２０°となっている。各大ターン部(33b)は、これを大まかに捉えれば、後側に位置する第１ストレート(31)の一端から前側に位置する第２ストレート部(32)の一端に向かって、左方凸状または右方凸状に伸びるものであるが、より詳細に見ると、第１ストレート部(31)の一端から、それよりも前方で第２ストレート部(32)よりも後方に位置する切れ目(21)までの部分が左右幅方向外方に向かって凸の略半円弧状をなし、切れ目(21)を斜めに横切ってから若干左右幅方向内方に窪んだ後、第２ストレート部(32)の一端になだらかに繋がっている。一方、小ターン部(33a)は、前端に位置するものが前側にやや膨らんだ左方凸弧状、後端に位置するものが前側にやや膨らんだ右方凸弧状をなし、残りが、後側にやや膨らんだ左方凸弧状または右方凸弧状をなす。以上の記載および図１から明らかなように、この実施形態の場合、温水パイプ(3)を前後２本のパイプで構成しているにもかかわらず、小ターン部(33a)の大半および大ターン部(33b)が、それぞれ対称形ではなく同一形状をしているので、それだけ温水パイプ(3)がパネル(11)全面に均等に配されていることになり、暖房床としての均熱性の向上に寄与しているといえる。
【００５７】
温水パイプを構成する２本のパイプ(3)の両端部が接続されるヘッダ(H)は、図１に示すように、パネル(11)左縁部の前後長さ中央に配置されている。したがって、各パイプ(3)には、ヘッダ(H)に最も近い第１および第２ストレート部(31)(32)の左端とヘッダ(H)とを繋いでいる連結部(34)が更に備えられている。これらの連結部(34)のうちの３つは、切れ目(21)を横切っており、更にその中の２つは切れ目(21)と直交しているが、パネル(11)巻回時には、通常、各パイプ(3)の両端をヘッダ(H)から外しておくため、上記直交部分が折れ曲がって挫屈したり損傷したりするおそれはない。
【００５８】
図３に示すように、大ターン部(33b)は、切れ目(21)に近づくにつれて切れ目(21)との角度が次第に小さくなるようにカーブし、切れ目(21)においてこれにほぼ沿うように伸び、切れ目(21)から離れるにつれて切れ目(21)との角度が次第に大きくなるようにカーブしているものであってもよい。この場合の大ターン部(33b)と切れ目(21)との交差角度は、実質的に０°となる。
【００５９】
図４に示すように、基材の切れ目(21)は、基材(2)下面に左右幅全長にわたって設けられかつ上面側を通常０．３〜０．５ｍｍ程度残すような深さとなされた横断面逆Ｖ形の溝(211)によって形成されている。もっとも、加工精度のバラツキにより、溝(211)の中には、基材(2)上面や、場合によっては上部シート(4)の厚さ中間まで達するものもある（図４参照）。また、切れ目は、上記溝(221)と同様の長さおよび深さを有するスリット状の切り込みによって構成されていてもよい。切れ目(21)の左右両端部を除いた長さ中間部に重なるように、第１ストレート部収容部(201)が設けられている。この第１ストレート部収容部(201)は、基材(2)下面に開口しかつ下部材(2B)の厚みとほぼ同じ深さを有する断面略逆Ｕ形の溝によって形成されている。また、第２ストレート部収容部(202)およびターン部収容部(203)も、第１ストレート部収容部(201)を形成している溝と同様の逆Ｕ形溝によって形成されている。下部材(2B)には、図２および３に示すように、その下面から上面近傍まで達する縦横各多数の溝(22)が形成され、それによってパネル(11)の軽量化および防音対策が図られている。なお、上記溝(22)は、例えば、切削加工によって形成することができる他、下部材(2B)が硬質合成樹脂発泡体よりなる場合には熱溶融加工によって形成することもできるし、またその発泡成形時に形成してもよい。
【００６０】
図５は、上記の床暖房用パネル(11)を上面を内側にして巻回した状態を示すものである。パネル(11)を前後いずれか一方の縁から上面を内側にして巻き込んでいくと、パネル(11)が基材(2)の複数の切れ目(21)に対応する箇所で順次折れ曲がっていく。この際、基材(2)上面まで達していない切れ目(21)の上方部分がパネル巻き込み時の外力によって割れるので、基材(2)の折れ曲がりはスムーズに行われる。また、基材(2)の折れ曲がりに応じて、基材(2)下面に接合された下部シート(5)が伸びる。
【００６１】
図６に示すように、パネル(11)の折れ曲がりに伴って、温水パイプ(3)のうち切れ目(21)を横切って伸びるターン部（大ターン部）(33b)が、切れ目(21)を横断する部分において折れ曲がるかまたは湾曲する。しかし、該ターン部(33b)は、切れ目(21)と斜めに交差しており、例えば、ターン部(33b)の切れ目(21)との交差角度(A)が約２０°であって巻回時にパネルが切れ目に対応する箇所で上面側に９０°折れ曲がった場合には、ターン部(33b)の折れ曲がり角度(B)は約２８°となる（図６参照）。この角度(B)は、ターン部が切れ目と直交している従来技術の場合の折れ曲がり角度（＝９０°）と比べるとかなり小さく、したがって折れ曲がり断面積も大きくなるため、温水パイプ(3)の折れ曲がりによる挫屈や損傷の発生の度合いは従来技術と比べて確実に少なくなる。また、パネル巻回時に前記ターン部(33b)が湾曲した場合、その湾曲部分が下面側に飛び出すような挙動を示すが、これらの部分の下方にある伸長可能な下部シート(5)が部分的に下方凸状に変形するため、巻回に支障はなく、パネル(11)の平面性にも影響しない。
【００６２】
図５に示すように巻回された床暖房用パネル(11)は、その状態で施工現場に搬入される。したがって、嵩張らず持ち運びがし易い。このパネル(11)は、通常、コンクリートスラブ、合板、パーティクルボード等からなるフラットな床下地上に施工される。その後、床暖房用パネル(11)の上に、例えばクッションシートや木質床材等の床仕上げ材が直接施工される。
【００６３】
図７は、本発明による床暖房用パネルの第２の実施形態（請求項１に対応）を示すものである。図７に示す床暖房用パネル(12)の場合、温水パイプ(3)が１本のパイプで構成されている。温水パイプ(3)の両端は、パネル(12)の前左隅部に配置されたヘッダ(H)に接続されている。温水パイプ(3)の配管パターンは２重蛇行状のものであって、該パイプ(3)は、全ての切れ目(21)それぞれに通じるように左右方向に伸びる第１ストレート部(31)と、基材(2)における隣り合う切れ目(21)どうしの間の部分および基材(2)の前縁とこれに最も近い切れ目(21)との間の部分にそれぞれ前後２つずつ配された左右方向に伸びる第２ストレート部(32)と、所要の２つのストレート部(31)(32)の左端どうしまたは右端どうしをそれぞれ繋いでいるターン部(33a)(33b)とを有している。切れ目(21)を横切るように伸びるターン部(33b)は、切れ目(21)と斜めに交差している。上記以外は、第１の実施形態とほぼ同じである。
【００６４】
図８は、本発明による床暖房用パネルの第３の実施形態（請求項３に対応）を示すものである。図８に示す床暖房用パネル(13)にあっても、温水パイプ(3)が１本のパイプで構成されている。温水パイプ(3)の両端は、パネル(13)の外に配される接続パイプを介してヘッダに接続される。温水パイプ(3)の配管パターンは蛇行状のものであって、該パイプ(3)は、全ての切れ目(21)それぞれに通じるように左右方向に伸びる第１ストレート部(31)と、基材(2)における隣り合う切れ目(21)どうしの間の部分および基材(2)の後縁とこれに最も近い切れ目(21)との間の部分にそれぞれ１つずつ配された左右方向に伸びる第２ストレート部(32)と、隣り合う第１ストレート部(31)および第２ストレート部(32)の左端どうしまたは右端どうしを切れ目(21)を横切る部分が生じないように繋いでいるターン部(33c)とを有している。したがって、上記パネル(13)の場合、その上面を内側にして巻回した場合でも、温水パイプ(3)に折れ曲がったり湾曲したりする部分が全く生じない。上記以外は、第１の実施形態とほぼ同じである。
【００６５】
図９は、本発明による床暖房用パネルの第４の実施形態（請求項３に対応）を示すものである。この実施形態は、以下の点を除いて、図８に示す第３の実施形態とほぼ同じである。即ち、図９に示す床暖房用パネル(14)では、温水パイプ(3)の両端がパネル(14)の右縁部の前後長さ中央からパネル外に配置されたヘッダに接続されるようになっている。温水パイプ(3)は、前端に位置する第２ストレート部(32)の右端から３つの切れ目(21)を横切ってヘッダに通じるように後方に伸びる連結部(34)と、後端に位置する第２ストレート部(32)の右端から２つの切れ目(21)を横切ってヘッダに通じるように前方に伸びる連結部(34)とを更に備えている。各連結部(34)は、平面より見てほぼ波形をしており、各切れ目(21)を横切る部分において、切れ目(21)に近づくにつれて切れ目(21)との角度が次第に小さくなるようにカーブし、切れ目(21)においてこれにほぼ沿うように伸び、切れ目(21)から離れるにつれて切れ目(21)との角度が次第に大きくなるようにカーブするものとなっている。
【００６６】
図１０は、本発明による床暖房用パネルの第５の実施形態（請求項４、５、６、７に対応）を示すものである。この実施形態は、以下の点を除いて、図１〜６に示す第１の実施形態とほぼ同じである。即ち、図１０に示す床暖房用パネル(15)は、可撓性を有する温水パイプ(3)が収容されたパイプ収容部(20)を下面側に備えた基材(2)と、基材(2)の下面に接合された伸縮性を有する下部シート(5)と、下部シート(5)の下面に接合された裏打ち材(6)とを備えたものであって、パネル(15)をその前後方向に所定間隔をおいた複数箇所で順次上面側に折り曲げて巻回し得るように、基材(2)が、互いに接合された、折り曲げ可能な上部材(2A)と、前記パイプ収容部(20)が設けられた下部材(2B)とで構成されているとともに、基材(2)における前記複数箇所それぞれに対応する箇所に、基材(2)の左右幅全長にわたって伸びかつ下部材(2B)の下面から上部材(2A)の厚さ中間まで達する切れ目(21)が設けられている。上部材(2A)は、スチレン樹脂非発泡体からなり、下部材(2B)は、独立気泡型の硬質スチレン樹脂発泡体からなる。これら上部材(2A)および下部材(2B)は、一体成形される。パイプ収容部(20)は、基材(2)下面に開口しかつ下部材(2B)の厚みとほぼ同じ深さを有する断面円弧状の溝によって形成されている。これらの溝は、上部材(2A)および下部材(2B)を金型を用いて加熱一体成形するのと同時に形成することができる他、同部材(2A)(2B)の形成後に加熱成形型押しによって形成することもできる。上記パネル(15)を上面を内側にして巻き込んでいくと、パネル(15)が基材(2)の複数の切れ目(21)に対応する箇所で順次折れ曲がっていく。基材(2)における切れ目(21)の上方部分は、折り曲げ可能な上部材(2A)で構成されているため、同箇所において基材(2)の折れ曲がりがスムーズに行われる。
【００６７】
なお、上記の各実施形態はあくまでも例示にすぎず、特許請求の範囲に記載された本発明の要旨を逸脱しない範囲で適宜に変更の上、本発明を実施することは勿論可能である。
【００６８】
【発明の効果】
本発明による床暖房用パネルは、上面を内側にして容易に巻回することができるので、施工現場への搬入等の際の持ち運びが容易である。また、上記パネルによれば、冒頭で述べた従来技術と比べると、巻回によって温水パイプが挫屈したり破損したりする度合いが少ない。そして、上記パネルの場合、これを巻回した状態で床下地の所定位置に置いてそこから巻き戻していけば、そのまま床下地の上に敷設できるので、その作業を少人数で行うことができ、その後の施工作業も容易である。さらに、上記パネルにあっては、これを一旦巻回してから巻き戻した場合でも、パネル上面の平滑性および平面性が損なわれないので、同パネルの上に、床仕上げ材を、その材質の如何にかかわらず、捨て張り材なしで直接施工することができる。
【図面の簡単な説明】
【図１】本発明の第１の実施形態を示す床暖房用パネルの水平断面図である。
【図２】床暖房用パネルの一部を拡大して示す水平断面図である。
【図３】温水パイプのターン部のパターンの変形例を示すものであって、床暖房用パネルの一部を拡大して示す水平断面図である。
【図４】平坦な状態の床暖房用パネルの部分垂直断面図である。
【図５】巻回した状態の床暖房用パネルの部分垂直断面図である。
【図６】巻回した状態の床暖房用パネルの部分斜視図である。
【図７】本発明の第２の実施形態を示す床暖房用パネルの平面図である。
【図８】本発明の第３の実施形態を示す床暖房用パネルの平面図である。
【図９】本発明の第４の実施形態を示す床暖房用パネルの平面図である。
【図１０】本発明の第５の実施形態を示す平坦な状態の床暖房用パネルの部分垂直断面図である。
【図１１】従来技術を示す床暖房用パネルの平面図である。
【符号の説明】
(11)(12)(13)(14)(15)…床暖房用パネル
(2)…基材
(2A)…上部材
(2B)…下部材
(20)…パイプ収容部
(21)…切れ目
(3)…温水パイプ
(31)…第１ストレート部
(32)…第２ストレート部
(33a)(33b)(33c)…ターン部
(4)…金属シート（上部シート）
(5)…下部シート
【図１】
0004595255.tif 000002
【図２】
0004595255.tif 000003
【図３】
0004595255.tif 000004
【図４】
0004595255.tif 000005
【図５】
0004595255.tif 000006
【図６】
0004595255.tif 000007
【図７】
0004595255.tif 000008
【図８】
0004595255.tif 000009
【図９】
0004595255.tif 000010
【図１０】
0004595255.tif 000011
【図１１】
0004595255.tif 000012